(57)【要約】【課題】ドレン水をドレンポンプで圧送する空気調和機、空気調和機用ドレンアップキット、及び空調システムにおけるドレン配管のごみ詰りを回避すること。【解決手段】本発明に係る空気調和機は、熱交換器５で発生したドレン水を排出するドレンポンプ８と、ドレンポンプの８下流側に接続されたごみ分離器１０とを備えている。ドレンポンプ８から排出されるドレン水に含まれるごみは、従来のものではそのまま機外に配設されるドレン配管１５へドレン水とともに流出しているが、本発明では、ドレンポンプ８の下流側に配置されたごみ分離器１０により除去する。これにより、機外に配設されるドレン配管１５のトラップなどにおけるごみ詰まりの発生を回避することができる。なお、ドレンポンプ８の下流側は、従来、ドレン配管が接続されていたので、ごみ分離器１０をドレンポンプ８の下流側に配置することは比較的容易である。【選択図】図１
2007240111.tif 000002
【特許請求の範囲】
【請求項１】
熱交換器で発生したドレン水を排出するドレンポンプと、ドレンポンプの下流側に接続されたごみ分離器とを備えていることを特徴とする空気調和機。
【請求項２】
前記ドレンポンプは、ドレンパン内のドレン水を吸い込むように機内に設置され、前記ごみ分離器は、機内におけるドレンポンプの下流側に設置されていることを特徴とする請求項１記載の空気調和機。
【請求項３】
前記ごみ分離器は、ドレンポンプの運転停止時にごみ分離器内のドレン水を吸込側に戻すドレン戻し機構を備えていることを特徴とする請求項２記載の空気調和機。
【請求項４】
前記ごみ分離器は、ドレン入口と、分離容器と、ドレン出口と、ドレン出口またはこの出口に接続されたドレン配管から分離容器内にドレン水が逆流するのを防止する第１逆止弁と、分離容器内の圧力が低下したときに、分離容器内を大気に開放するように作動する第２逆止弁とを備え、
前記ドレン戻し機構は、ドレン入口及び第２逆止弁よりなる構成であることを特徴とする請求項３記載の空気調和機。
【請求項５】
前記第１逆止弁及び第２逆止弁は、分離容器に取り付けられていることを特徴とする請求項４記載の空気調和機。
【請求項６】
前記ごみ分離器は、ドレン入口と、分離容器と、ドレン出口と、ドレン出口またはこの出口に接続されたドレン配管から分離容器内にドレン水が逆流するのを防止する第１逆止弁と、分離容器内から導出されてドレンパンの水面上に開口される細管とを備え、
前記ドレン戻し機構は、ドレン入口及び細管よりなる構成であることを特徴とする請求項３記載の空気調和機。
【請求項７】
前記ごみ分離器は、分離容器内を通過するドレン水中のゴミを沈殿させて分離するように構成されていることを特徴とする請求項１〜６の何れか１項に記載の空気調和機。
【請求項８】
前記ごみ分離器は、分離容器内に流入するドレン水に旋回流を付与してドレン水中のゴミを遠心分離するように構成されていることを特徴とする請求項１〜６の何れか１項に記載の空気調和機。
【請求項９】
前記ごみ分離器の分離容器及び分離容器に接続される配管は、銅系材料からなることを特徴とする請求項１〜８のいずれか１項に記載の空気調和機。
【請求項１０】
ドレン水を貯留するドレンタンクと、ドレンタンク内のドレン水を汲み上げるドレンポンプと、ドレンポンプの下流側に接続されたごみ分離器とを備えていることを特徴とする空気調和機用ドレンアップキット。
【請求項１１】
前記ごみ分離器の分離容器及び分離容器に接続される配管は、銅系材料からなることを特徴とする請求項１０記載の空気調和機用ドレンアップキット。
【請求項１２】
空気調和機のドレン排出経路に請求項１０又は１１記載の空気調和機用ドレンアップキットが接続されていることを特徴とする空気調和システム。
【請求項１３】
複数台の空気調和機のドレン排出経路に対し１台の請求項１０又は１１記載の空気調和機用ドレンアップキットが共用されるように接続されていることを特徴とする空気調和システム。
【請求項１４】
前記空気調和機は請求項１〜９の何れか１項に記載の空気調和機であることを特徴とする請求項１１〜１３の何れか１項に記載の空気調和システム。
【発明の詳細な説明】
【技術分野】
【０００１】
本発明は、空気調和機、空気調和機用ドレンアップキット及び空気調和システムに関し、特に、これら機器又はシステムの利用設備におけるドレン配管のごみ詰りの防止に関する。
【背景技術】
【０００２】
従来、一部の空気調和機、例えば、天井埋込型、天井吊型などの高所設置型の空気調和機の分野においては、ドレン水をドレンポンプで圧送する排出方式がとられている。また、この排水方式に使用されるドレンポンプとしては、一般的に、ドレンポンプのドレン水汲上部におけるドレン水の水位により吐出容量が自動的に変化する形式のポンプが用いられている。さらに、空気調和機の機外に設置されるドレン配管には、天井裏の梁などを避けるためにしばしばトラップが設けられている。このような空気調和機及びその応用例についての従来技術としては、例えば特許文献１に記載されたものがある。
【特許文献１】国際公開第２００４／０５３３９８号パンフレット
【発明の開示】
【発明が解決しようとする課題】
【０００３】
しかしながら、上述の従来の空気調和機では、ドレン水とともにごみが流出されていた。このごみは、機外にドレンポンプの吐出容量が少ないときに、機外のドレン配管のトラップに溜り易い。また、これを長期放置しておくと、トラップでごみ詰りに発展する可能性がある。なお、ドレン水に混ざり込む主なごみとしては、大小の一般的なごみの他、配管として使用される銅管の切粉である銅粉、配管の接続部に使用されるシールテープのテープごみ、衣服等の繊維類から発生する繊維ごみなどを挙げることができる。なお、このようなごみがドレン配管に溜まるという問題は、従来長年にわたり使用されてきた、ドレン配管に下り勾配を付けてドレン水を排出する自然流下方式の場合には、ドレン配管の配管径も大きく問題になっていなかった。しかし、近年、ドレン水を圧送式で排出するために細径のドレン配管を使用するようになり、ドレン配管の途中にトラップが形成されるようになったことにより、このような問題の発生が懸念されるようになってきた。
【０００４】
本発明は、従来技術に存在するこのような問題点に着目してなされたものである。その目的は、ドレン水をドレンポンプで圧送する空気調和機、空気調和機用ドレンアップキット、及び空調システムにおけるドレン配管のごみ詰りを回避することにある。
【課題を解決するための手段】
【０００５】
上記課題を解決した本発明に係る空気調和機は、熱交換器で発生したドレン水を排出するドレンポンプと、ドレンポンプの下流側に接続されたごみ分離器とを備えているものである。ドレンポンプから排出されるドレン水に含まれているごみは、従来のものではそのままドレン配管へドレン水とともに流出しているが、この発明の場合はドレンポンプの下流側に配置されたごみ分離器により除去される。したがって、機外に配設されるドレン配管のトラップにおけるごみ詰まりの発生を回避することができる。また、ドレンポンプの上流側にはドレン水汲上部であるドレンパンやドレンタンクなどが配置されているので、ドレンポンプの上流側にごみ分離器を配置することは難しい。しかし、ドレンポンプの下流側は、従来、ドレン配管が接続されていたので、ごみ分離器をドレンポンプの下流側に配置することは比較的容易である。
【０００６】
このような空気調和機において、前記ドレンポンプがドレンパン内のドレン水を吸い込むように機内に設置され、前記ごみ分離器が機内におけるドレンポンプの下流側に設置されるように構成することができる。このように構成すると、従来、ドレン配管が配置されていたドレンポンプ下流側の機内スペースをごみ分離器の収納部として有効に利用することができるので、ごみ分離器を備えた空気調和機の大型化を回避することができる。
【０００７】
また、このように収納されたごみ分離器には、ドレンポンプの運転停止時に、ごみ分離器内のドレン水を吸込側に戻すドレン戻し機構を備えることが好ましい。少量のごみであるので、分離されたごみをごみ分離器に残したままで継続して運転することも可能である。しかし、ドレンポンプの運転停止毎にごみ分離器内で分離されたごみを吸込側に戻すことにより、ごみ分離器内でごみが固まることが防止され、ごみ分離器のごみ分離性能を長期にわたり高効率に維持することができる。
【０００８】
また、このごみ分離器にドレン入口、分離容器、ドレン出口を設ける。さらに、ドレン出口又はこの出口に接続されたドレン配管から、分離容器内にドレン水が逆流することを防止する第１逆止弁を設置するとともに、分離容器内の圧力が低下したときに、分離容器内を大気に開放するように作動する第２逆止弁を設けることが好ましい。このように構成されたごみ分離器においては、ドレン入口及び第２逆止弁より前記ドレン戻し機構が構成される。また、このように構成された空気調和機によれば、ドレンポンプの運転を停止したときには、第１逆止弁が作動して機外に配設されるドレン配管からのドレン水の逆流を防止することができる。なお、機外に配設されるドレン配管からのドレン水の還流を防止しない場合は、ドレン水がドレンパン周りに溢れることが懸念される。また、ドレンポンプの運転を停止したときには、第２逆止弁が作動してごみ分離器内を大気開放するので、ごみ分離器内のドレン水を吸込側に戻すことができる。以上の動作は機構的かつ自動的に行われるので、煩雑な制御装置が不要である。
【０００９】
また、前記第１逆止弁及び第２逆止弁を、ごみ分離器の分離容器に取り付けるように構成してもよい。このように構成すれば、ごみ分離器周りの構成を簡素化することができる。
【００１０】
上記構成に代えて、次のようにすることもできる。すなわち、ごみ分離器に、ドレン入口と、分離容器と、ドレン出口と、ドレン出口またはこの出口に接続されたドレン配管から分離容器内にドレン水が逆流するのを防止する第１逆止弁と、分離容器内から導出されてドレンパンの水面上に開口される細管とを備える。そして、ドレン戻し機構を、ドレン入口及び細管よりなる構成とするものである。このように構成した場合は、ドレンポンプの運転によりドレン水が第１逆止弁を通じてドレン配管を介して排出されるとともに、細管を通じて僅かなドレン水がドレンパンに還流される。そして、ドレンポンプの運転を停止したときには、第１逆止弁の作動によりドレン配管からのドレン水の逆流が防止される。それと同時に、ごみ分離器内が細管を通じて大気開放される。これにより、ごみ分離器内のドレン水がごみ分離機の吸込側に戻される。以上の動作は自動的に行われるので、煩雑な制御装置が不要である。特に前述のものと比べて逆止弁が１個不要となる点で簡略化される。
【００１１】
また、ごみ分離器は、分離容器内を通過するドレン水中のゴミを沈殿させて分離する構成のものであってもよく、あるいは、分離容器内に流入するドレン水に旋回流を付与してドレン水中のゴミを遠心分離する構成のものでもよい。これらは何れも簡素なごみ分離機構であるので、前述のドレン戻し機構も簡素化される。
【００１２】
また、ごみ分離器の分離容器及び分離容器に接続される配管は、銅系材料から構成することが好ましい。このように銅系材料を用いることにより、分離されたごみ及びこのごみ分離器を通過するドレン水を銅イオンで殺菌するとともにごみ分離器内を殺菌することができるので、スライムの発生や異臭の発生を抑制することができる。
【００１３】
前述の課題を解決する本発明に係る空気調和機用ドレンアップキットは、ドレン水を貯留するドレンタンクと、ドレンタンク内のドレン水を汲み上げるドレンポンプと、ドレンポンプの下流側に接続されたごみ分離器とを備えているものである。従来の空気調和機用ドレンアップキットでは、ごみ分離器が設けられていないので、汲み上げられたドレン水はごみを含んだままドレン水とともにドレン配管に流出する。したがって、ドレン配管のトラップにごみ詰まりが発生する可能性がある。しかし、この発明に係る空気調和機用ドレンアップキットを使用すると、空気調和機用ドレンアップキットから吐出されるドレン水はごみが除去されているので、ごみ詰まりの発生を回避することができる。また、本発明の空気調和機用ドレンアップキットを既設の空調設備に使用することにより、ドレン配管におけるごみ詰まりを回避することができる。
【００１４】
また、この空気調和機用ドレンアップキットにおいても、ごみ分離器の分離容器及び分離容器に接続される配管を銅系材料から構成することが好ましい。このように銅系材料を用いることにより、この空気調和機用ドレンアップキットを通過するドレン水及び分離されるごみを銅イオンで殺菌するとともにごみ分離器内自身も銅イオンにより殺菌されるので、スライムの発生や異臭の発生を抑制することができる。
【００１５】
また、本発明に係る空気調和システムは、空気調和機のドレン排出経路に前記空気調和機用ドレンアップキットを接続したものである。これにより、ドレン配管におけるごみ詰まりを抑制することができる。また、複数台の空気調和機のドレン排出経路に対し、この空気調和機用ドレンアップキット１台を共用するように接続してもよい。このように構成することにより空気調和機用ドレンアップキットの取付費用を軽減することができる。なお、このような空気調和機用ドレンアップキットを、前述の本発明に係る空気調和機のドレン排水経路に接続するようにしてもよい。
【発明の効果】
【００１６】
本発明に係る空気調和機、空気調和機用ドレンアップキット、及び空気調和システムによれば、ドレン配管におけるごみ詰まりを回避することができる。
【発明を実施するための最良の形態】
【００１７】
（実施の形態１）
先ず、本発明の実施の形態１に係る空気調和機について、図１〜図３に基づき説明する。
【００１８】
図１は、実施の形態１に係る空気調和機の断面図である。この実施の形態は、高所設置型空気調和機の一つである天井埋込型空気調和機に本発明を適用したものである。この実施の形態１に係る天井埋込型空気調和機は、分離型空気調和機の室内ユニットであり、本体ケーシング１は天井裏に取り付けられ、下面の化粧パネル２が天井面３から室内側に露出して設置されている。
【００１９】
本体ケーシング１内には、中央部にターボファン４が配置され、その周りに熱交換器５が取り付けられ、熱交換器５の下方にはドレンパン６が設置されている。また、ドレンパン６の一部にドレン水を貯留している。この貯留部をドレン水汲上部７として、ドレンポンプ８が取り付けられている。また、ごみ分離器１０が、ドレンポンプ８の下流側に、より具体的にはドレンポンプ８の吐出口８ａから立ち上がるように機内に設置されている。ここに使用されるドレンポンプ８は、従来公知のものであり、ドレン水汲上部７のドレン水の貯留レベルにより排水容量が自動的に変化する形式のポンプである。
【００２０】
化粧パネル２は、空調室内に露出するものであり、ターボファン４の下方部、つまりこの化粧パネル２の中央部には、室内空気吸込口２ａが設けられ、その周囲には熱交換器５で熱交換された空調空気を吹き出す吹出口２ｂが形成されている。
【００２１】
ごみ分離器１０は、図２に示すように、略円筒状の容器を分離容器１１とし、この分離容器１１内を通過するドレン水中のゴミを沈殿させて分離するものである。分離容器１１の下面にドレン水を導入するドレン入口１２が設けられている。ドレン入口１２には、ドレンポンプ８の吐出配管９が接続されている。ドレン出口１３は分離容器１１の上面に設けられており、このドレン出口１３には、第１逆止弁１４が取り付けられている。そして、この第１逆止弁１４に対しドレン配管１５が接続されている。第１逆止弁１４は、ドレンポンプ停止時にドレン配管１５から分離容器１１内にドレン水が逆流するのを防止するものである。また、分離容器１１の上面には、第１逆止弁１４に隣接して第２逆止弁１６が設置されている。第２逆止弁１６は、分離容器１１内の圧力が低下したときに、分離容器１１内を大気に開放するように作動する逆止弁である。この第２逆止弁１６は、ドレン入口１２とともに本発明にいうドレン戻し機構を構成する。
【００２２】
ごみ分離器１０は、分離容器１１内を通過するドレン水中のゴミを沈殿させて分離する構成であって、内部を流通するドレン水の流速が所定値以下となるように設定されている。図３は、ごみが沈殿するドレン水の限界流速を流路の内径との関係で示した実験結果であり、この実験結果からごみ分離器１０の内径を設定することができる。このグラフは、横軸に流路の内径を採り、縦軸にドレン水の流速を採った対数グラフである。また、右下がりの線Ｖ１〜Ｖ９により、ドレンポンプ８の吐出流量をパラメータとした、流路の断面積に対応するドレン水の流速を示している。上記グラフにおいて、横方向の線Ｄ１〜Ｄ５により、ごみの種類毎の沈殿限界流速を示している。また、縦方向の線Ｐ１〜Ｐ４はこの実施の形態を適用する空気調和機に使用される配管の内径を例示したものである。
【００２３】
ドレン水に混ざり込む主なごみは、一般ごみの他に、配管として使用される銅管の切粉である銅粉、配管接続部に使用されるシールテープのごみ、衣服等の繊維類から発生する繊維ごみである。なお、このグラフに記載されている□４ｍｍ新聞紙は、大きな一般ごみに相当するものとして実験上使用されたものであり、また、１×２ｍｍ新聞紙は、小さな一般ごみに相当するものとして実験上使用されたものである。
【００２４】
次に、具体的にどのように使用するかを説明する。対象の空気調和機におけるドレンポンプの最大水量を４００ｃｃ／ｓとすると、このポンプの最大水量に対するドレン水の流速はＶ７とＶ８との間で表わされる。また、この空気調和機に使用される配管の内径を、縦方向の線Ｐ１〜Ｐ４で示している。そこで、このグラフから見ると、繊維ごみは流速を極端に小さくしないと沈殿しないごみであることが分かる。これは逆にドレン配管１５に溜まっても流速の早いときにドレン水とともに排出されることを示している。このようなことから、本実施の形態では、銅粉、シールテープのごみ、大小の一般ごみを除去対象ごみとし、衣服等の繊維類から発生する繊維ごみを除去対象ごみから除外している。また、このような考えのもとではごみ分離器１０内の流速を０．０１ｍ／ｓ以下にすれば、ごみ分離器１０内でごみを沈殿させることができるので、ごみ分離器１０の分離容器１１の内径を３０〜５０ｍｍに設定すればよいことが分かる。なお、上記構成において、分離容器１１及びごみ分離器１０に接続される配管、具体的にはドレンポンプ８の吐出配管９及びドレン配管１５は、銅又は銅合金からなる銅系材料により構成されている。
【００２５】
次に、本実施の形態におけるドレン水に含まれるごみの処理について説明する。
空気調和機の冷房あるいは除湿運転時には、空気調和機の熱交換器５により室内空気が冷却又は除湿され、ドレン水が発生する。ドレン水は熱交換器５からドレンパン６に滴下して、ドレンパン６の一部に設定されたドレン水汲上部７に貯留される。一方、運転と同時にドレンポンプ８は運転されているので、ドレン水汲上部７に貯留されたドレン水はドレンポンプ８により汲み上げられ、ごみ分離器１０に送り込まれる。このとき、ドレンパン６や、ドレンパン６とごみ分離器１０とを接続する配管内に残存しているごみや熱交換される空気中のごみ、すなわち、一般ごみの他、銅粉、シールテープごみ、繊維ごみなどのごみが、ドレン水とともにごみ分離器１０に送り込まれる。
【００２６】
ドレンポンプ８の吐出量は、ドレン水汲上部７のドレン水量により変化するが、ごみ分離器１０内の流速は、ドレンポンプ８が最大流量の場合において０．０１ｍ／ｓ以下に抑えられているので、繊維ごみ以外のごみは、ごみ分離器１０内で沈殿し貯留される。なお、繊維ごみはドレン水とともに機外のドレン配管１５に流出する。この繊維ごみは、運転開始時はドレン水汲上部７のドレン水量が少なく、ドレンポンプ８の吐出量が少ないため、機外に配設されるドレン配管１５に設けられているトラップ（図示せず）に一時的に滞留することも考えられる。しかし、冷房又は除湿運転が継続されてドレン水汲上部７のドレン水量が増加したときに、ドレンポンプ８の水量が増加するので、運転開始時トラップに残っていた繊維ごみはドレン水とともに外部に排出される。
【００２７】
次に、冷房又は除湿運転が停止されたときは、第１逆止弁１４の作動により、ドレン配管１５に溜まっているドレン水のごみ分離器１０への逆流が阻止される。一方、ごみ分離器１０に貯留されていたドレン水は、ドレン戻し機構を構成する第２逆止弁１６の作動により、ごみ分離器１０内が大気圧に保持されるので、ヘッド差によりごみ分離器１０の吸込側、具体的にはドレン入口１２、ドレンポンプ８、ドレン水汲上部７などを介してドレンパン６に戻される。そして、ごみ分離器１０内に分離されていたごみも、このドレン水とともにドレンパン６に戻される。このごみの量は、通常、それほど多いものではないので、戻されたごみを廃棄する必要はない。また、ドレンパン６に戻ったごみは、冷房あるいは除湿運転が再開されたときに再度ドレン水に混ざってごみ分離器１０に流入し、分離されてごみ分離器１０内に分離貯留される。
【００２８】
また、ごみ分離器１０を構成する分離容器１１、ごみ分離器１０に接続されるドレンポンプ８の吐出配管９及びドレン配管１５が銅系材料により構成されている。このように、機外に配設されるドレン配管１５とともに、ごみ分離器１０周りも銅管が使用されているので、ドレン水がこれら銅系材料の容器や配管に接することにより、ドレン水に銅イオンが溶出される。この結果、ドレン水中に、空気中の雑菌が含まれていても銅イオンにより殺菌される。このため、ドレンポンプ８が停止された状態で、機外のドレン配管１５にドレン水が残っていても、雑菌が繁殖してスライムの発生する恐れが少ない。また、ドレンパン６に戻されるドレン水にも銅イオンが溶出しているので、雑菌が発生してスライムが発生するようなこともない。
【００２９】
以上説明したように、本実施の形態によれば、次のような作用効果を奏することができる。
（１）ドレンポンプ８から排出されるドレン水に含まれるごみは、ドレンポンプ８の下流側に配置されたごみ分離器１０により除去されるので、機外に配設されるドレン配管１５のトラップにおけるごみ詰まりの発生を回避することができる。
【００３０】
（２）ドレンポンプ８の上流側にはドレン水汲上部７であるドレンパン６が配置されているので、ドレンポンプ８の上流側にごみ分離器１０を配置することは難しい。しかし、ドレンポンプ８の下流側は、従来ドレン配管１５が接続されていたので、ごみ分離器１０をドレンポンプ８の下流側に配置することは比較的容易である。
【００３１】
（３）ごみ分離器１０が機内におけるドレンポンプ８の下流側に設置されているので、ごみ分離器１０を備えた空気調和機の大型化を回避することができる。従来、ドレンポンプ８の吐出口８ａ上部の機内スペースは、ドレン配管１５の設置スペースであったので、この機内スペースをごみ分離器１０の収納部として有効に利用されている。
【００３２】
（４）ごみ分離器１０は、ドレン入口１２と第２逆止弁１６とからなるドレン戻し機構を備えているので、ドレンポンプ８の運転停止毎にごみ分離器１０内で分離されたごみを吸込側、すなわち、ドレンパン６に戻すことができる。これにより、ごみ分離器１０内でごみの固まることが防止され、ごみ分離器１０のごみ分離性能を長期にわたり高効率に維持することができる。
【００３３】
（５）ごみ分離器１０を、分離容器１１内を通過するドレン水中のゴミを沈殿させて分離する構成としているので、分離器を簡素な構成とすることができる。また、これにより、ドレン戻し機構を簡素化することができる。
【００３４】
（６）ドレン戻し機構がドレン入口１２と第２逆止弁１６とから構成されるので、簡略な構成となりコストの上昇を抑制することができる。
（７）第１逆止弁１４及び第２逆止弁１６を、ごみ分離器１０の分離容器１１に取り付けているので、ごみ分離器１０周りの構成を簡素化することができる。
【００３５】
（８）ごみ分離器１０の分離容器１１及び分離容器１１に接続される配管、すなわち、ドレンポンプ８の吐出配管９及びドレン配管１５は、銅系材料から構成されている。したがって、分離されたごみ及びこのごみ分離器１０を通過するドレン水を銅イオンで殺菌するとともにごみ分離器１０内を殺菌することができるので、スライムの発生や異臭の発生を抑制することができる。
【００３６】
（実施の形態２）
実施の形態２に係る空気調和機は、図４に示すように、第１逆止弁１４の取付位置をごみ分離器１０の出口側に接続されるドレン配管１５中に取り付け、この第１逆止弁１４を本体ケーシング１の貫通部に取り付けている。そして、機外に接続されるドレン配管１５は、この第１逆止弁１４に接続するように構成されている。なお、他の構成は実施の形態１と同様であり、図中実施の形態１と同一の部分に同一の符号を付している。このように構成した実施の形態２は、前述の実施の形態１に係る（７）の効果を除き、実施の形態１と同様の作用効果を奏することができる。
【００３７】
（実施の形態３）
実施の形態３に係る空気調和機は、図５に示すように、第１逆止弁１４及び第２逆止弁１６をごみ分離器１０の上面に取り付けられた接続口金１１ａに取り付けるようにしたものである。そして、第１逆止弁１４及び第２逆止弁１６を一体化するとともに、第１逆止弁１４及び第２逆止弁１６の取り付け位置を本体ケーシング１の貫通部とし、機外に接続されるドレン配管１５を第１逆止弁１４に接続するようにしている。なお、他の構成は実施の形態１と同様であり、図中実施の形態１と同一の部分に同一の符号を付している。このような構成にした実施の形態３は、前述の実施の形態１に係る（７）の効果を除き、実施の形態１と同様の作用効果を奏することができる。
【００３８】
（実施の形態４）
実施の形態４に係る空気調和機は、図６に示すように、実施の形態１におけるごみ分離器１０の分離容器１１をドレンポンプ８の吐出配管９と兼用するようにしたものである。すなわち、この実施の形態４では、ごみ分離器２０は、大径の配管を分離容器２１とし、その入口側を絞ってドレンポンプ８の吐出口８ａに接続可能とし、大径の配管の上部は第１逆止弁１４及び第２逆止弁１６の取付部として大径のままとしている。なお、他の構成は実施の形態１と同様であり、図中実施の形態１と同一の部分に同一の符号を付している。このような構成にした実施の形態４は、前述の実施の形態１に係る（７）の効果を除き、実施の形態１と同様の作用効果を奏することができる。
【００３９】
（実施の形態５）
実施の形態５は、図７に示すように、実施の形態１における第２逆止弁１６に代えて細管１８を分離容器１１から導出し、その先端をドレンパン６の水面上に開口したものである。なお、他の構成は実施の形態１と同様であり、図中実施の形態１と同一の部分に同一の符号を付している。
【００４０】
このように構成した実施の形態５は、ドレンポンプ８停止時に、分離容器１１内がこの細管１８を通じて大気開放される。なお、ドレンポンプ８運転中はドレン水が僅かであるがこの細管１８を通じてドレンパン６に還流される。この還流はエネルギーロスとなるが、細管１８の配管径を適宜に選択することにより、このエネルギーロスを必要最小限に抑えることができる。この場合の必要最小限は、ドレンポンプ８停止時に分離容器１１内を所定時間内に大気とバランスさせることができるように、細管１８の配管系を最小に設定することにより求められる。また、このような構成とすると、実施の形態１に比較し、第２逆止弁に代えて細管を使用することで、より簡素な構成とすることができる。なお、その他の点については、実施の形態１と同一の作用効果を得ることができる。
【００４１】
（実施の形態６）
実施の形態６に係る空気調和機は、実施の形態１におけるごみ分離器１０を、図８（ａ）及び図８（ｂ）に示すような分離原理の異なるごみ分離器３０に変更したものである。なお、他の構成は実施の形態１と同一であり、図８（ａ）及び図８（ｂ）において実施の形態１と共通する部分には同一の符号を付している。
【００４２】
この実施の形態におけるごみ分離器３０は、図８（ａ）及び（ｂ）に示すように、分離容器３１の下方部のドレン入口３２において、ドレンポンプ８の吐出配管３３を分離容器３１の内面に対し接線方向に接続することにより、分離容器３１内にドレン水の旋回流３４を形成している。ドレン水とともに分離容器３１に流入したごみは、旋回流３４による遠心分離作用とごみの比重と水の比重との差を利用した沈殿作用の両作用により分離されるようにしたものである。なお、他の構成は実施の形態１と同様であり、図中実施の形態１と同一の部分に同一の符号を付している。このように構成した実施の形態６は、前述の実施の形態１と同様の作用効果を奏することができる。
【００４３】
（実施の形態７）
次に、実施の形態７は、本発明を適用した空気調和システムに関するものであって、図９に基づきその内容を説明する。なお、図９において実施の形態１と同一の要素には同一の符号を付し、その説明を省略する。
【００４４】
本発明に係る空気調和システムは、図９に示すように、空気調和機におけるドレン排出経路に空気調和機用ドレンアップキット４０を接続したものである。空気調和機は実施の形態１のものと同一である。より具体的には、空気調和機用ドレンアップキット４０は、第１逆止弁１４に対しドレン配管１５を介して接続されている。空気調和機用ドレンアップキット４０は、一般的なものと同様、ドレンタンクと高圧型のドレンポンプとをキット化したものである。つまり、この実施の形態に示すように、実施の形態１に係る空気調和機も、従来の空気調和機と同様に、空気調和機用ドレンアップキット４０を接続することにより、ドレン配管１５の高ヘッド化に対応することができる。また、このように構成された空調システムは、空気調和機の機内においてドレンポンプ８の下流側にごみ分離器１０が接続されているので、機外のドレン配管１５におけるごみ詰まりを回避することができる。
【００４５】
（実施の形態８）
実施の形態８は、本発明を空気調和機用ドレンアップキット及びこれを用いた空調システムに適用したものであって、図１０及び図１１に基づきその内容を説明する。図１０は本実施の形態に係る空気調和機用ドレンアップキットの構成図であり、図１１はこの空気調和機用ドレンアップキットを空気調和機に接続した空気調和システム図である。
【００４６】
実施の形態８の空気調和機用ドレンアップキット５０は、空気調和機５１のドレン排出経路に接続されるものである。また、この空気調和機用ドレンアップキット５０は、図１０に示すように、ドレンタンク５２内に高圧型のドレンポンプ５３が収納されている。ドレンポンプ５３を駆動するモータ５４はドレンタンク５２の上部に突出するように配置されている。また、ドレンタンク５２の上面には空気調和機からのドレン水を受け入れる入口側のドレン配管接続口５５が設けられている。また、上記のように取り付けられたドレンポンプ５３の下流側には、具体的にはドレンポンプ５３の吐出口５６から立ち上がるようにごみ分離器６０が接続されている。
【００４７】
このごみ分離器６０は、実施の形態１におけるごみ分離器１０と同一の構造のものである。すなわち、ごみ分離器６０は、略円筒状の容器を分離容器６１とし、分離容器６１の下面にドレン水を導入するドレン入口６２が設けられている。また、分離容器６１の上面にはドレン出口が設けられており、このドレン出口には、第１逆止弁６３が取り付けられている。そして、第１逆止弁６３に対しドレン配管６４が接続されている。また、分離容器６１の上面には、第１逆止弁６３に隣接して第２逆止弁６５が設置されている。この第１逆止弁６３及び第２逆止弁６５は実施の形態１における第１逆止弁１４及び第２逆止弁１６と同様のものである。また、ごみ分離器６０は、実施の形態１におけるものと同様に内部を通過するドレン水の流速を０．０１ｍ／ｓとすることにより、銅粉、シールテープのごみ、大小の一般ごみを除去するように構成されている。さらに、分離容器６１及びごみ分離器６０に接続される配管は、銅又は銅合金からなる銅系材料により構成されている。
【００４８】
以上のように構成された空気調和機用ドレンアップキット５０は、複数台の空気調和機５１のドレン排出経路に対し、図１０の１台の空気調和機用ドレンアップキット５０が共用されるように接続されている。この場合の空気調和機５１は、実施の形態１と同様に、ドレンポンプ８の下流側にごみ分離器１０を搭載したものでもよいが、従来の空気調和機のようにごみ分離器を備えていないものでもよい。
【００４９】
以上のように構成された空調システムでは、少なくとも１台の空気調和機５１が冷房運転あるいは除湿運転されると、空気調和機５１からドレン水がドレンタンク５２に送られてくる。一方少なくとも１台の空気調和機５１の運転に伴い、空気調和機用ドレンアップキット５０が運転され、ドレンポンプ５３が駆動される。したがって、ドレンタンク５２に貯留されたドレン水は、ドレンポンプ５３により汲み上げられ、ごみ分離器６０に送り込まれる。このドレン水には、ドレンパン６や、ドレンパン６からドレンタンク５２に至るドレン水排出経路に残存しているごみが含まれている。
【００５０】
ごみ分離器６０内では、ドレン水の流速が０．０１ｍ／ｓ以下に抑えられているので、繊維ごみ以外のごみは、ごみ分離器１０内で沈殿し貯留される。これにより、ドレン配管におけるごみ詰まりが回避される。なお、繊維ごみは、微細であるためドレン水とともに機外のドレン配管６４に流出し、ドレンポンプ５３の吐出量が少ないときにドレン配管６４に一時的に滞留することがあるが、ドレン水の量が増加したときにドレン水とともに外部に排出される。
【００５１】
次に、全数の空気調和機５１の冷房又は除湿運転が停止されたときは、ドレンポンプ５３の運転が停止される。このとき、第１逆止弁６３の作動により、ドレン配管６４に溜まっているドレン水のごみ分離器６０への逆流が阻止される。一方、ごみ分離器６０に貯留されていたドレン水は、ドレン戻し機構を構成する第２逆止弁６５の作動により、ごみ分離器６０内が大気圧に保持されるので、ヘッド差によりごみ分離器６０の吸込側、具体的にはドレン入口６２、ドレンポンプ５３などを介してドレンタンク５２に戻される。そして、ごみ分離器６０内に分離されていたごみも、ドレン水とともにドレンタンク５２に戻される。このごみの量は、通常、それほど多いものではないので、戻されたごみを廃棄する必要はない。また、ドレンタンク５２に戻ったごみは、冷房あるいは除湿運転の再開とともに、ドレン水に混ざって再度ごみ分離器６０に流入し、再度分離されてごみ分離器６０内に貯留される。このように、ドレンポンプ５３の発停とともにごみが分離容器６１とドレンタンク５２との間を往復することにより、ごみ分離器６０内でごみが固まることが防止され、ごみ分離器６０のごみ分離性能を長期にわたり高効率に維持することができる。
【００５２】
また、ごみ分離器６０を構成する分離容器６１及び分離容器６１に接続される配管、すなわち、ドレンポンプ５３の吐出配管５９及びドレン配管６４が銅系材料により構成されているので、ドレン水がこれら銅系材料の容器や配管に接することにより、ドレン水に銅イオンが溶出される。この結果、ドレン水中に、空気中の雑菌が含まれていても銅イオンにより殺菌される。このため、ドレンポンプ５３が停止された状態で、ドレン配管６４にドレン水が残っていても、雑菌が繁殖してスライムが発生する恐れが少ない。また、ドレンタンク５２に戻されるドレン水にも銅イオンが溶出しているので、ドレンタンク５２内で雑菌が発生してスライムが発生するようなこともない。
【００５３】
なお、以上説明した実施の形態において次のように変形することもできる。
（１）実施の形態７及び８において、空気調和機を実施の形態２〜６の何れかにしてもよい。
【００５４】
（２）各実施の形態において空気調和機は、天井埋込型の室内ユニットであるが、他の形式の空気調和機において、本発明のようにドレンポンプの下流側にごみ分離器を設置するようにしてもよい。
【００５５】
（３）各実施の形態において、ごみ分離器及びこのごみ分離器に接続される配管を銅管にしているが、ドレンポンプの羽根車、機内外のドレン配管全般を銅管にすることは好ましいことである。また、極論すると、ドレン水の触れる部分をできるだけ抗菌性金属材料、抗菌性のある樹脂材料、抗菌剤を添加した樹脂材料などにより形成することは好ましいことである。
【００５６】
（４）実施の形態２〜４、及び６〜８において、第２逆止弁１６、６５に代えて実施の形態５のように細管１８により、分離容器１１、２１、３１、６１内をドレンパン６又はドレンタンク５２のドレン水面上に開口するようにしてもよい。このようにすれば、それぞれの実施の形態の構成をより簡素化することができる。
【産業上の利用可能性】
【００５７】
本発明は、熱交換器で発生したドレン水をドレンポンプで排水する空気調和機、この空気調和機を利用した空調システム、あるいは、この空調システムに用いる空気調和機用ドレンアップキットに対して有用である。
【図面の簡単な説明】
【００５８】
【図１】本発明の実施の形態１に係る空気調和機の断面図である。
【図２】同空気調和機におけるごみ分離器の縦断面図である。
【図３】ごみが沈殿するドレン水の限界流速についての実験結果を流路の内径との関係で示したグラフである。
【図４】実施の形態２に係る空気調和機のごみ分離器周りの断面図である。
【図５】実施の形態３に係る空気調和機のごみ分離器周りの断面図である。
【図６】実施の形態４に係る空気調和機のごみ分離器周りの断面図である。
【図７】実施の形態５に係る空気調和機のごみ分離器周りの断面図である。
【図８】実施の形態６に係る空気調和機におけるごみ分離器の図面であり、（ａ）は縦断面図であり、（ｂ）は（ａ）におけるＡ−Ａ断面図である。
【図９】実施の形態７に係る空調システムの構成図である。
【図１０】実施の形態８に係る空調システムにおける空気調和機用ドレンアップキットの全体構成図である。
【図１１】同実施の形態における空調システムの模式的構成図である。
【符号の説明】
【００５９】
５…熱交換器、６…ドレンパン、８、５３…ドレンポンプ、１０、２０、３０、６０…ごみ分離器、１１、２１、３１、６１…分離容器、１２、３２、６２…ドレン入口、１３…ドレン出口、１４、６３…第１逆止弁、１５、６４…ドレン配管、１６、６５…第２逆止弁、１８…細管、３４…旋回流、４０、５０…空気調和機用ドレンアップキット、５１…空気調和機、５２…ドレンタンク。
【図１】
2007240111.tif 000003
【図２】
2007240111.tif 000004
【図３】
2007240111.tif 000005
【図４】
2007240111.tif 000006
【図５】
2007240111.tif 000007
【図６】
2007240111.tif 000008
【図７】
2007240111.tif 000009
【図８】
2007240111.tif 000010
【図９】
2007240111.tif 000011
【図１０】
2007240111.tif 000012
【図１１】
2007240111.tif 000013